(57)【要約】      （修正有）【課題】低周波帯域のみならず高周波帯域でもＥＭＩを減少することができる回路基板及びこれを含む表示装置を提供する。【解決手段】差動信号線４２０が形成される回路基板に関するものであって、ベース板と、ベース板上に形成されて差動信号４２０を伝達する複数の差動信号線４２０とを含む。複数の差動信号線４２０は、各々第１信号線４２２及び第２信号線４２４を含み、第１信号線４２２と第２信号線４２４とは互いに平行な少なくとも２つの経路に沿って延びており、第１信号線４２２及び第２信号線４２４は経路変更部ＰＣＰで経路を変え、隣り合う差動信号線の経路変更部ＰＣＰは、差動信号線の長手方向に沿って互いに異なる位置に配置される。【選択図】図２
2014112718.tif 000002
【特許請求の範囲】
【請求項１】
ベース板と、
ベース板上に形成されて差動信号を伝達する複数の差動信号線と、
を含み、
前記複数の差動信号線は、各々第１信号線及び第２信号線を含み、
前記第１信号線及び前記第２信号線は互いに平行な少なくとも２つの経路に沿って延びており、
前記第１信号線及び前記第２信号線は経路変更部で経路を変え、
隣り合う前記差動信号線の経路変更部は、前記差動信号線の長手方向に沿って互いに異なる位置に配置され、
前記ベース板は、
第１面及び第２面と、
前記差動信号線の長手方向に前記経路変更部から所定間隔離れている複数のビアホールと、を含み、
前記少なくとも２つの経路は、
前記第１面に位置する第１経路と、
前記第２面に位置して前記第１経路とオーバーラップする第２経路と、
前記第１面に位置して前記第１経路から所定間隔離れている第３経路と、
前記第２面に位置して、前記第３経路とオーバーラップする第４経路と、を含み、
前記第１信号線は、前記経路変更部を通過しながら前記第１経路から前記第３経路に変更され、前記ビアホールで前記第３経路から前記第４経路に変更され、
前記第１信号線と同一区間にある前記第２信号線は、前記経路変更部を通過しながら前記第４経路から前記第２経路に変更され、前記ビアホールで前記第２経路から前記第１経路に変更されることを特徴とする回路基板。
【請求項２】
前記第１信号線と前記第２信号線と、は前記経路変更部で交差し、
前記経路変更部に位置する前記第１信号線及び前記第２信号線部分の平面形状は、十字形状であることを特徴とする請求項１に記載の回路基板。
【請求項３】
前記ベース板の同一面で隣り合う２つの差動信号線に対応するビアホールは、前記差動信号線の長手方向に沿って互いに異なる位置に配置されることを特徴とする請求項２に記載の回路基板。
【請求項４】
前記ベース板の同一面で隣り合う２つの差動信号線に対応する前記経路変更部及び前記ビアホールは、前記差動信号線の長手方向に沿って互いに異なる位置に配置されることを特徴とする請求項３に記載の回路基板。
【発明の詳細な説明】
【技術分野】
【０００１】
本発明は回路基板及びこれを含む表示装置に関し、より詳しくは差動信号線が形成されている回路基板及びこれを含む表示装置に関する。
【背景技術】
【０００２】
フラットパネルディスプレイとしては、液晶表示装置（ＬＣＤ：ｌｉｑｕｉｄ  ｃｒｙｓｔａｌ  ｄｉｓｐｌａｙａｙ）、プラズマ表示装置（ＰＤＰ：ｐｌａｓｍａ  ｄｉｓｐｌａｙ  ｐａｎｅｌ）、電界放出表示装置（ＦＥＤｆｉｅｌｄ  ｅｍｉｓｓｉｏｎ  ｄｉｓｐｌａｙ）、真空蛍光表示板（ＶＦＤ：ｖａｃｕｕｍ  ｆｌｕｏｒｅｓｃｅｎｔ  ｄｉｓｐｌａｙ）及び有機発光表示装置（ＯＬＥＤ：ｏｒｇａｎｉｃ  ｌｉｇｈｔ  ｅｍｉｔｔｉｎｇ  ｄｉｓｐｌａｙ）等がある。このような表示装置は、通常、表示板と、この表示板に信号を供給する信号制御部とを有する。表示板には、信号制御部に接続されるフレキシブルプリント回路フィルム（ｆｌｅｘｉｂｌｅ  ｐｒｉｎｔｅｄ  ｃｉｒｃｕｉｔ  ｆｉｌｍ）を介して信号が伝達される。信号制御部は、ＴＣＯＮ（ｔｉｍｉｎｇ  ｃｏｎｔｒｏｌｌｅｒ）、集積回路チップ（ｉｎｔｅｇｒａｔｅｄ  ｃｉｒｃｕｉｔ  ｃｈｉｐ）等を含み、これらは同一層または異なる層に配列された配線に接続される。フレキシブルプリント回路フィルムは、フィルム、フィルム上に互いに平行に配列された複数の配線、及び複数の配線上に形成された保護膜を含む。
【０００３】
表示装置の大型化及び高画質化に伴い、集積回路チップをはじめとしてＴＣＯＮ等の必須の半導体は複雑化している。このため、様々な技術的問題の改善が要求されるが、特にノイズ（ｎｏｉｓｅ）や信号遅延等による画質低下を防止するためのデータ転送方式の改善が要求される。例えば、既存のＴＣＯＮとＬＤＩ（ＬＣＤ  Ｄｒｉｖｅｒ  ＩＣ）との間のデータ転送方式であるＴＴＬ（ｔｒａｎｓｉｓｔｏｒ  ｔｏ  ｔｒａｎｓｉｓｔｏｒ  ｌｏｇｉｃ）方式は、信号転送速度が遅く、電流消耗量が多く、ＥＭＩ（ｅｌｅｃｔｒｏｍａｇｎｅｔｉｃ  ｉｎｔｅｒｆｅｒｅｎｃｅ）特性が良くない。これらの問題を改善する方式がＬＶＤＳ（ｌｏｗ  ｖｏｌｔａｇｅ  ｄｉｆｆｅｒｅｎｔｉａｌ  ｓｉｇｎａｌｉｎｇ）またはＲＳＤＳ（ｒｅｄｕｃｅｄ  ｓｉｇｎａｌ  ｄｉｆｆｅｒｅｎｔｉａｌ  ｓｉｇｎａｌｉｎｇ）であって、これらの方式によれば、既存のＴＴＬ方式における信号のスイングの大きさを小さくしてＥＭＩ特性を改善し、信号の転送速度を向上させた。また、ＴＴＬ方式よりも試用する配線の数を少なくすることができる。最近では、ｍｉｎｉ−ＬＶＤＳ及びＰＰＤＳ（ｐｏｉｎｔ−ｔｏ−ｐｏｉｎｔ  ｄｉｆｆｅｒｅｎｔｉａｌ  ｓｉｇｎａｌｉｎｇ）等のインターフェース技術が研究されている。
【発明の開示】
【発明が解決しようとする課題】
【０００４】
しかし、ＬＶＤＳまたはＲＳＤＳ方式の場合、低周波帯域ではＥＭＩ特性が改善されるが、高周波帯域ではＥＭＩ特性が大きく改善されない。例えば、無線広域ネットワーク（ｗｉｒｅｌｅｓｓ  ｗｉｄｅ  ａｒｅａ  ｎｅｔｗｏｒｋ）及び無線ローカルエリアネットワーク（ｗｉｒｅｌｅｓｓ  ｌｏｃａｌ  ａｒｅａ  ｎｅｔｗｏｒｋ）の場合には、８００ＭＨｚ〜６ＧＨｚの高周波領域帯を使用するが、この周波数領域帯ではＬＶＤＳまたはＲＳＤＳ方式を使用してもＥＭＩ特性が改善されない。表示装置の画質を向上させるためにはＥＭＩを減少させなければならない。
【０００５】
よって、本発明は、低周波帯域のみならず高周波帯域でもＥＭＩを減少させることができる回路基板及びこれを含む表示装置を提供する。
【課題を解決するための手段】
【０００６】
本発明の一実施形態による回路基板は、ベース板と、ベース板上に形成されて差動信号を伝達する複数の差動信号線とを含む。また、複数の差動信号線は、各々第１信号線及び第２信号線を含み、第１信号線と第２信号線とは互いに平行な少なくとも２つの経路に沿って延びており、第１信号線及び第２信号線は経路変更部で経路を変え、隣り合う差動信号線の経路変更部は、その差動信号線の長手方向に沿って互いに異なる位置に配置される。
【０００７】
ベース板は、第１面及び第２面を含み、前記少なくとも２つの経路は第１面に位置する第１経路と、第２面に位置する第２経路とを含み、第１信号線は、経路変更部を基準に一側では第１経路に位置してもよく、他側では第２経路に位置してもよく、第２信号線は、第１信号線と反対側経路に位置してもよい。
【０００８】
ベース板は、経路変更部に位置した１対のビアホールを含んでもよく、第１信号線及び第２信号線は、１対のビアホールを介して第１経路から第２経路に経路を変えてもよい。
【０００９】
第１経路と第２経路とは互いにオーバーラップしてもよい。
【００１０】
１対のビアホールは、第１経路及び第２経路から所定間隔離れていてもよい。
【００１１】
１対のビアホールは、第１及び第２経路を基準に互いに反対側に位置して離隔されてもよい。
【００１２】
経路変更部に位置する第１信号線及び第２信号線部分の平面形状は、菱形であってもよい。
【００１３】
第１経路をベース板の第２面に投影した場合、第１経路と第２経路とは、所定間隔離れていてもよい。
【００１４】
１対のビアホールは、各々第１経路及び第２経路の上に配置されており、第１信号線と第２信号線とは、経路変更部で互いに交差してもよい。
【００１５】
経路変更部に位置する第１信号線及び第２信号線部分の平面形状は、十字形状であってもよい。
【００１６】
差動信号線の経路変更部は、隣接する差動信号線の長手方向に沿って隣り合う２つの経路変更部の間の区間の中央部と対向してもよい。
【００１７】
ベース板は、第１面及び第２面と、差動信号線の長手方向に経路変更部から所定間隔離れている複数のビアホールとを含み、前記少なくとも２つの経路は、第１面に位置する第１経路、第２面に位置して第１経路とオーバーラップする第２経路、第１面に位置して第１経路から所定間隔離れている第３経路、及び第２面に位置して第３経路とオーバーラップする第４経路を有する。第１信号線は、経路変更部を通過しながら第１経路から第３経路に変更されて、ビアホールで第３経路から第４経路に変更されてもよく、第１信号線に対応する区間にある第２信号線は、経路変更部を通過しながら第４経路から第２経路に変更されて、ビアホールで第２経路から第１経路に変更されてもよい。
【００１８】
第１信号線と第２信号線とは経路変更部で交差してもよく、経路変更部に位置する第１信号線及び第２信号線部分の平面形状は、十字形状であってもよい。
【００１９】
ベース板の同一面で隣り合う２つの差動信号線に対応するビアホールは、差動信号線の長手方向に沿って互いに異なる位置に配置されてもよい。さらに、ベース板の同一面で隣り合う２つの差動信号線に対応する経路変更部及びビアホールは、差動信号線の長手方向に沿って互いに異なる位置に配置されてもよい。
【００２０】
ベース板は、上部層と下部層とを含む二重層からなってもよく、この場合、少なくとも２つの経路は、上部層上に位置する第１経路と、下部層上に位置する第２経路とを含んでもよく、第１信号線は、経路変更部を基準に一側では第１経路に位置し、他側では第２経路に位置してもよく、第２信号線は、第１信号線と反対側経路に位置してもよい。
【００２１】
上部層は、経路変更部に位置した１対のビアホール（ｖｉａ  ｈｏｌｅ）を含んでもよく、第１及び第２信号線は、１対のビアホールを介して、上部層から下部層に経路を変えてもよい。
【００２２】
ベース板及び差動信号線は可撓性を有してもよい。
【００２３】
本発明の一実施形態による表示装置は、回路基板と、回路基板から信号を受けるゲート駆動集積回路チップ及びデータ駆動集積回路チップと、基板及び基板上に形成された複数の薄膜素子構造物を含み、ゲート駆動集積回路チップ及びデータ駆動集積回路チップから信号を受ける表示板とを含む。
【発明の効果】
【００２４】
本発明の実施形態によれば、低周波帯域のみならず高周波帯域でもＥＭＩを減少させることができる。また、ＥＭＩ等のノイズによって表示装置の画質が低下するという問題を防止できるという効果がある。
【発明を実施するための最良の形態】
【００２５】
以下、図面を用いながら、本発明の実施形態を、本発明が属する技術分野における通常の知識を有する者が容易に実施することができるように詳細に説明する。しかし、本発明は、多様な形態で実現することができ、ここで説明する実施形態に限定されない。本発明の実施形態によるフレキシブルプリント回路フィルムは、液晶表示装置、プラズマ表示装置、電界放出表示装置、真空蛍光表示板及び有機発光表示装置等、種々の表示装置に適用可能である。本発明では、液晶表示装置を図示し、これを参照して実施形態を開示したが、本発明による表示装置は液晶表示装置に限定されない。
【００２６】
図面は、各種層及び領域を明確に表現するために、厚さを拡大して示している。明細書全体を通じて類似した部分については同一の参照符号を付けている。層、膜、領域、基板等の部分が、他の部分の「上に」あるとするとき、これは他の部分の「すぐ上に」ある場合に限らず、その中間に更に他の部分がある場合も含む。逆に、ある部分が他の部分の「すぐ上に」あるとするとき、これは中間に他の部分がない場合を意味する。
【００２７】
本発明の一実施形態による回路基板（ｃｉｒｃｕｉｔ  ｂｏａｒｄ）及び表示装置について図１〜図４を参照して詳細に説明する。
【００２８】
図１は本発明の一実施形態による表示装置の斜視図である。図２は図１に示す回路基板の部分拡大平面図である。図３は図２のＡ部分の拡大図である。図４は図１に示す回路基板の別の実施形態の部分拡大平面図である。
【００２９】
図１を参照すれば、本実施形態による表示装置は、表示板部３００、フレキシブルプリント回路フィルム５１０及び回路基板４５０を含む。
【００３０】
表示板部３００は、下部表示板１００、上部表示板２００及び電気光学活性層（ｅｌｅｃｔｒｏ−ｏｐｔｉｃａｌ  ａｃｔｉｖｅ  ｌａｙｅｒ）（図示せず）を含む。しかし、表示板部３００は１つの表示板を含んでもよく、３つ以上の表示板を含んでもよい。
【００３１】
下部表示板１００は、基板とその上の薄膜素子構造物とを含む。基板は、ガラスまたはプラスチック等の透明絶縁物質で形成される。薄膜素子構造物は、画素電極、薄膜トランジスタ、各種信号線等を含み、これらは導電体と絶縁体とからなる。図示していないが、下部表示板１００構造の一例を簡単に説明する。
【００３２】
下部基板上には複数のゲート線が形成される。ゲート線の上にはゲート絶縁膜、半導体、及びオーミックコンタクトが順次に形成され、その上にはデータ線及びドレイン電極が形成される。ゲート線は複数のゲート電極を含み、データ線は複数のソース電極を含み、ゲート電極、半導体、ソース電極及びドレイン電極は薄膜トランジスタを構成する。半導体、データ線、ドレイン電極及びゲート絶縁膜の上には保護膜が形成され、保護膜の上には複数の画素電極が形成される。画素電極は、保護膜に形成されたコンタクトホールを介してドレイン電極に接続される。
【００３３】
上部表示板２００は、下部表示板１００と対向し、下部表示板１００より小さく、下部表示板１００周縁の一部が上部表示板２００で覆われず露出する。上部表示板２００は基板及び薄膜構造物を含む。基板はガラスまたはプラスチック等の透明絶縁物質で形成される。薄膜構造物は共通電極、カラーフィルタ及び遮光部材等を含み、これらは導電体と絶縁体とからなる。図示していないが、上部表示板２００の構造の一例を簡単に説明する。
【００３４】
基板上には遮光部材が形成される。遮光部材は画素電極と対向し、画素電極と略同じ形状を有する複数の開口部を有して、画素電極間の光漏れを防止する。基板及び遮光部材の上には蓋膜（ｏｖｅｒｃｏａｔ）が形成され、蓋膜上には共通電極が形成される。基板と蓋膜との間には複数のカラーフィルタが形成される。各カラーフィルタは、遮光部材の開口部内にその大部分が存在し、赤色、緑色及び青色の三原色の基本色のうちの１つを表示する。
【００３５】
上述した下部表示板１００と上部表示板２００の構造は一例であって、様々な変更が可能である。例えば、共通電極、カラーフィルタ及び遮光部材のうちの少なくとも１つが下部表示板１００に含まれてもよい。さらに、下部表示板１００は蓄積電極をさらに含んでもよい。
【００３６】
電気光学活性層は、下部表示板１００と上部表示板２００との間に配置され、表示板部３００が１つの表示板を含む場合には、その表示板の上に配置される。電気光学活性層の材料は表示装置の種類によって異なるが、例えば、液晶表示装置では液晶物質、有機発光表示装置では有機発光物質となる。
【００３７】
回路基板４５０は、複数の映像信号、データ信号及びゲート信号等をゲート駆動集積回路チップ及びデータ駆動集積回路チップに出力する。ゲート駆動集積回路チップ及びデータ駆動集積回路チップに伝達される信号は、差動信号（ｄｉｆｆｅｒｅｎｔｉａｌ  ｓｉｇｎａｌ）として伝達される。差動信号の伝達には、ＬＶＤＳ、ＲＳＤＳ、ｍｉｎｉ−ＬＶＤＳ及びＰＰＤＳ方法が使用される。回路基板４５０について図２及び図３を参照してより詳細に説明する。
【００３８】
図１を参照すると、フレキシブルプリント回路フィルム５１０は、フィルムと、その上に形成される金属配線と、金属配線の上に形成される保護膜とを含む。フレキシブルプリント回路フィルム５１０の一側端部は、導電性接着剤５７０によって下部表示板１００の露出したエッジ部分に取り付けられ、他側端部は、導電性接着剤５７０によって回路基板４５０に取り付けられる。導電性接着剤５７０は異方性導電フィルムの一種であって、これに含まれている導電粒子によりフレキシブルプリント回路フィルム５１０に形成される金属配線と下部表示板１００及び回路基板４５０の配線とが電気的に接続される。
【００３９】
ゲート駆動集積回路チップ及びデータ駆動集積回路チップは、フレキシブルプリント回路フィルム５１０の上に形成されてもよく（ＴＣＰ方式）、表示板部３００上に形成されてもよい（ＣＯＧ／ＦＯＧ方式）。回路基板４５０から伝達される信号は、フレキシブルプリント回路フィルム５１０の金属配線を介してゲート駆動集積回路及びデータ駆動集積回路チップに伝達される。ゲート駆動集積回路チップは、ゲートオン電圧をゲート線に印加して、ゲート線に接続されるスイッチング素子を導通させ、データ駆動集積回路チップは、各デジタル映像信号に対応する階調電圧を選択して、デジタル映像信号をアナログデータ電圧に変換し、これをデータ線に印加する。
【００４０】
照明部８０は表示板部３００の下部に配置され、収納容器６０は表示板部３００の上部に配置される。表示板部３００は、収納容器６０によって照明部８０に安定的に固定される。照明部８０は、ＣＣＦＬ（ｃｏｌｄ  ｃａｔｈｏｄｅ  ｆｌｕｏｒｅｓｃｅｎｔ  ｌａｍｐ）やＥＥＦＬ（ｅｘｔｅｒｎａｌ  ｅｌｅｃｔｒｏｄｅ  ｆｌｕｏｒｅｓｃｅｎｔ  ｌａｍｐ）のような蛍光ランプまたはＬＥＤ（ｌｉｇｈｔ  ｅｍｉｔｔｉｎｇ  ｄｉｏｄｅ）等の光源、導光板及び反射部材を含んでもよい。導光板は、光源から照射された光を誘導し、反射部材は、導光板から反射された光を表示板部３００方向に向かうように反射して光損失を最小化する。
【００４１】
図２及び図３を参照すれば、回路基板４５０はベース板（ｓｕｂｓｔｒａｔｅ）４５１、複数の集積回路チップ４６０、ＴＣＯＮ４７０及び複数の差動信号線４２０を含む。
【００４２】
ベース板４５１は、フェノール樹脂またはエポキシ樹脂等で形成され、ベース板４５１は、動きや屈曲が要求される場合は柔軟性を有してもよい。ベース板４５１上にはグラフィック処理等のための集積回路チップ４６０と、この集積回路チップ４６０から入力された信号を、ゲート駆動集積回路チップ及びデータ駆動集積回路チップの駆動に必要な各種制御信号に変換するＴＣＯＮ４７０とが形成される。
【００４３】
ベース板４５１上にはまた、複数の差動信号線４２０が形成される。１つの差動信号線４２０は、第１信号線４２２及び第２信号線４２４を含む。第１信号線４２２及び第２信号線４２４は、各々第１経路１０に位置した部分と第２経路２０に位置した部分とを含み、振幅が同一であり位相が反対である信号を伝達する。この場合、受信回路は２つの信号線４２２、４２４の間の電圧差に対してのみ反応する。ここで、第１経路１０はベース板４５１の上部面に位置し、第２経路２０はベース板４５１の下部面に位置し、第１経路１０を第２経路２０が位置するベース板４５１の下部面に投影した場合、これら２つの経路１０、２０は互いにオーバーラップする。
【００４４】
ベース板４５１には複数のビアホール４５５が形成されており、ビアホール４５５は経路変更部（ＰＣＰ）に１対ずつ位置する。１対のビアホール４５５は、第１経路１０、第２経路２０を基準に互いに反対側に離隔されて互いに対向する。経路変更部（ＰＣＰ）は、第１及び第２信号線４２２、４２４の経路が変わる部分であり、差動信号線４２０の長手方向（Ｌ）に沿って繰り返して位置する。
【００４５】
差動信号線４２０の長手方向（Ｌ）に沿って隣り合う２つのビアホール４５５の間を区間Ｓ１、Ｓ２とする場合、この区間Ｓ１及びＳ２距離は全て同じであってもよく、各区間毎に異なってもよい。
【００４６】
第１信号線４２２をその長手方向（Ｌ）に沿ってたどると、第１経路１０に位置する部分と第２経路２０に位置する部分とが交互に現れ、第２信号線４２４もその長手方向（Ｌ）に沿ってたどると、第１経路１０に位置する部分と第２経路２０に位置する部分とが交互に現れる。図示するように、長手方向（Ｌ）に沿って連続的に隣り合う区間Ｓ１及びＳ２において、第１信号線４２２と第２信号線４２４とは、互いに反対側の経路に位置する。
即ち、第１信号線４２２が第１経路１０にある区間では第２信号線４２４が第２経路２０に位置し、第１信号線４２２が第２経路２０にある区間では第２信号線４２４が第１経路１０に位置する。第１信号線４２２及び第２信号線４２４の位置は、ビアホール４５５を介して第１経路１０または第２経路２０に変更される。
【００４７】
第１及び第２信号線４２２、４２４の位置を第１区間Ｓ１から第２区間Ｓ２方向に沿って詳細に説明する。第１信号線４２２の位置は、第１区間Ｓ１が始まる部分に位置するビアホール４５５を介して第１経路１０から第２経路２０に変更され、第１信号線４２２は第１区間Ｓ１の端に位置するビアホール４５５まで第２経路２０に沿って延びる。次いで、第１信号線４２２の位置は、第１区間Ｓ１の端であると同時に第２区間Ｓ２の開始の部分に位置するビアホール４５５を介して、再び第１経路１０に変更され、第１信号線４２２は第２区間Ｓ２の端に位置するビアホール４５５まで第１経路１０に沿って延びる。
【００４８】
第２信号線４２４の位置は、第１区間Ｓ１が開始する部分に位置するビアホール４５５を介して第２経路２０から第１経路１０に変更され、第２信号線４２４は第１区間Ｓ１の端に位置するビアホール４５５まで第１経路１０に沿って延びる。次に、第２信号線４２４の位置は、第１区間Ｓ１の端であると同時に第２区間Ｓ２の開始の部分に位置するビアホール４５５を介して、再び第２経路２０に変更され、第２信号線４２４は第２区間Ｓ２の端に位置するビアホール４５５まで第２経路２０に沿って延びる。
【００４９】
第１信号線４２２及び第２信号線４２４は、その長手方向に沿ってほとんどオーバーラップするが、経路変更部（ＰＣＰ）ではオーバーラップしない。即ち、第１及び第２信号線４２２、４２４は、経路変更部（ＰＣＰ）で経路１０、２０を基準に互いに反対側方向に向って経路１０、２０から離れていき、第１経路１０、第２経路２０から離れた部分に位置するビアホール４５５によって互いの位置を変える。互いの位置を変えた第１及び第２信号線４２２、４２４は、再び経路第１経路１０、第２経路２０に近づいて、変更された第１経路１０、第２経路２０に沿って延びる。経路変更部（ＰＣＰ）に位置する第１信号線４２２及び第２信号線４２４部分の平面形状（ｐｌａｎｅｒ  ｓｈａｐｅｓ）は菱形であってもよい。
【００５０】
差動信号線４２０の経路変更部（ＰＣＰ）と隣り合う差動信号線４２０の経路変更部（ＰＣＰ）とは、その長手方向に沿って互いに異なる部分に位置する。例えば、図２で「Ａ」で示した最も左側の差動信号線４２０の経路変更部（ＰＣＰ）は、隣接する差動信号線４２０の第１区間Ｓ１の中心部と対向してもよい。ここで、隣り合う差動信号線４２０の経路変更部（ＰＣＰ）およびビアホール４５５が互い違いに配置されずに一列に配置されると、経路変更部（ＰＣＰ）及びビアホール４５５がルーフアンテナの機能をしてＥＭＩ特性が悪化する。
【００５１】
一方、図４に示すように、ベース板４５１は上部層４５１ａと下部層４５１ｂとを含む二重層構造を有してもよい。この場合、第１経路１０は上部層４５１ａに位置し、第２経路２０は下部層４５１ｂに位置する。さらに、複数のビアホール４５５は上部層４５１ａに形成される。これ以外の構造は図２及び図３に示した構造と略同じである。
【００５２】
次に、本発明の他の実施形態による回路基板について図５〜図７を参照して説明する。本実施形態による回路基板は、上述した表示装置だけでなく回路基板を使用する他の装置にも適用可能である。図５は本発明の他の実施形態による回路基板の部分拡大平面図である。図６は図５のＢ部分の拡大図である。図７は本発明の他の実施形態による回路基板の分解斜視図である。
【００５３】
図５及び図６を参照すれば、回路基板４５０は、ベース板４５１と複数の差動信号線５２０とを含む。
【００５４】
ベース板４５１は、フェノール樹脂またはエポキシ樹脂等で形成され、ベース板４５１は、動きや屈曲が要求される場合は柔軟性を有してもよい。ベース板４５１は単層からなってもよい。
【００５５】
ベース板４５１の上には、複数の差動信号線５２０が形成される。１つの差動信号線５２０は、第１信号線５２２及び第２信号線５２４を含む。第１信号線５２２及び第２信号線５２４は、各々第１経路１０に位置する部分と第２経路２０に位置する部分とを含み、振幅が同一で位相が反対である信号を伝達する。ここで、第１経路１０はベース板４５１の上部面に位置し、第２経路２０はベース板４５１の下部面に位置する。第１経路１０を第２経路２０が位置するベース板４５１の下部面に投影した場合、これら両経路１０、２０は互いに離れている。
【００５６】
ベース板４５１は、第１経路１０、第２経路２０の双方に沿って形成される複数のビアホール４５５を含む。ビアホール４５５は、第１及び第２信号線５２２、５２４が交差して経路が変わる部分、即ち、経路変更部（ＰＣＰ）に１対ずつ位置する。経路変更部（ＰＣＰ）は、差動信号線５２０の長手方向（Ｌ）に沿って繰り返して位置する。
【００５７】
差動信号線５２０の長手方向（Ｌ）に沿って隣り合う２つのビアホール４５５の間を区間Ｓ１、Ｓ２とする場合、この区間Ｓ１、Ｓ２の距離は全て同じであってもよく、各区間毎に異なってもよい。
【００５８】
第１信号線５２２は、その長手方向（Ｌ）に沿ってたどると、第１経路１０に位置する部分と第２経路２０に位置する部分とが交互に現れ、第２信号線５２４もその長手方向（Ｌ）に沿ってたどると、第１経路１０に位置する部分と第２経路２０に位置する部分とが交互に現れる。図示するように、長手方向（Ｌ）に沿って連続的に隣り合う区間Ｓ１及びＳ２において、第１信号線５２２及び第２信号線５２４は、互いに反対側経路に位置する。
第１信号線５２２及び第２信号線５２４は、ビアホール４５５を介してベース板４５１の上部面または下部面に移動し、互いに交差して第１経路１０、第２経路２０を変更する。
第１信号線５２２及び第２信号線５２４が交差する部分の平面形状は十字状であってもよい。
【００５９】
第１及び第２信号線５２２、５２４の位置を第１区間Ｓ１から第２区間Ｓ２方向に沿ってより詳細に説明する。第１信号線５２２は、第１区間Ｓ１が始まる部分に位置するビアホール４５５を介して第１経路１０からベース板４５１の下部面に移動して、第２経路２０側に曲がり、第２経路２０に沿って第１区間Ｓ１の端に位置するビアホール４５５まで延びる。さらに、第１信号線５２２は、第１区間Ｓ１の端であると同時に第２区間Ｓ２の開始の部分に位置するビアホール４５５を介して再び第２経路２０からベース板４５１の上部面に移動して、第１経路１０側に曲がり、第１経路１０に沿って第２区間Ｓ２の端に位置するビアホール４５５まで延びる。
【００６０】
第２信号線５２４は、第１区間Ｓ１が始まる部分に位置するビアホール４５５を介して、第２経路２０からベース板４５１の上部面に移動して、第１経路１０側に曲がり、第１経路１０に沿って第１区間Ｓ１の端に位置するビアホール４５５まで延びる。さらに、第２信号線５２４は、第１区間Ｓ１の端であると同時に第２区間Ｓ２の開始の部分に位置するビアホール４５５を介して、再び第１経路１０からベース板４５１の下部面に移動して、第２経路２０側に曲がり、第２経路２０に沿って第２区間Ｓ２の端に位置するビアホール４５５まで延びる。
【００６１】
第１信号線５２２と第２信号線５２４とは互いにほとんどオーバーラップしないが、経路変更部（ＰＣＰ）の交差する部分では一部オーバーラップする。交差部分の形状は十字状であってもよい。
【００６２】
差動信号線５２０の経路変更部（ＰＣＰ）と隣り合う差動信号線５２０の経路変更部（ＰＣＰ）とは、その長手方向に沿って互いに異なる部分に位置する。例えば、図５で「Ｂ」で示す最も左側の差動信号線５２０の経路変更部（ＰＣＰ）が隣接する差動信号線５２０の第１区間Ｓ１の中心部と対向してもよい。ここで、隣り合う差動信号線５２０の経路変更部（ＰＣＰ）およびビアホール４５５が互い違いに配置されずに一列に配置されれば、経路変更部（ＰＣＰ）及びビアホール４５５がルーフアンテナの機能をしてＥＭＩ特性が悪化する。
【００６３】
一方、図７に示すように、ベース板４５１は上部層４５１ａと下部層４５１ｂとを含む二重層構造を有してもよい。この場合、第１経路１０は上部層４５１ａに位置し、第２経路２０は下部層４５１ｂに位置する。これらの両経路１０、２０は互いにオーバーラップせず、差動信号線５２０の水平方向（Ｌ）及び垂直方向で離隔される。また、複数のビアホール４５５は上部層４５１ａに形成される。これ以外の構造は、図５及び図６に示した構造と略同じである。
【００６４】
次に、本発明のさらに他の実施形態による回路基板を図８〜図１０を参照して説明する。
本実施形態による回路基板は上述した表示装置だけでなく回路基板を使用する他の装置にも適用可能である。図８は本発明のさらに他の実施形態による回路基板の部分拡大平面図である。図９は図８のＣ部分の拡大図である。図１０は本発明のさらに他の実施形態による回路基板の分解斜視図である。
【００６５】
図８及び図９を参照すれば、回路基板４５０はベース板４５１と複数の差動信号線６２０とを含む。
【００６６】
ベース板４５１は、フェノール樹脂またはエポキシ樹脂等で形成され、ベース板４５１は、動きや屈曲を必要とする場合は柔軟性を有してもよい。ベース板４５１は単層からなってもよい。
【００６７】
ベース板４５１の上にはまた、複数の差動信号線６２０が形成される。差動信号線６２０は第１信号線６２２及び第２信号線６２４を含む。第１信号線６２２及び第２信号線６２４は、第１経路乃至第４経路１０、２０、３０、４０に沿って延びており、振幅が同一で位相が反対である信号を伝達する。
【００６８】
第１経路１０及び第３経路３０は、ベース板４５１の上部面に位置し、互いに所定間隔（ｄ）だけ離隔される。第２経路２０及び第４経路４０は、ベース板４５１の下部面に位置し、互いに所定間隔（ｄ）だけ離隔される。また、第１経路１０と第２経路２０とが互いにオーバーラップし、第３経路３０と第４経路４０とが互いにオーバーラップする。
【００６９】
ベース板４５１は、第１経路乃至第４経路１０、２０、３０、４０上に位置する複数のビアホール４５５を含み、第１及び第２経路１０、２０上に位置するビアホール４５５と、第３及び第４経路３０、４０上に位置するビアホール４５５とは互いに対向する。
【００７０】
経路変更部（ＰＣＰ）は、第１及び第２信号線６２２、６２４がそれぞれベース板４５１の同一面で第１経路乃至第４経路１０、２０、３０、４０を変える部分であり、差動信号線５２０の長手方向（Ｌ）に沿って繰り返して現れる。
【００７１】
本実施形態によるビアホール４５５は上述した他の実施形態とは異なり、経路変更部（ＰＣＰ）から離れている。即ち、ビアホール４５５は、差動信号線５２０の長手方向（Ｌ）に隣り合う２つの経路変更部（ＰＣＰ）の間に位置する。
【００７２】
差動信号線６２０の長手方向（Ｌ）に沿って隣り合う２つのビアホール４５５の間を区間Ｓ１、Ｓ２とする場合、この区間Ｓ１、Ｓ２距離は全て同じであってもよく、各区間毎に異なってもよい。
【００７３】
第１信号線６２２及び第２信号線６２４は、その長手方向（Ｌ）にたどると、第１経路乃至第４経路１０、２０、３０、４０に交互に位置し、図示するように、長手方向（Ｌ）に沿って連続的に隣り合う区間Ｓ１、Ｓ２において、第１信号線６２２と第２信号線６２４とは互いに異なる経路に位置する。第１信号線６２２及び第２信号線６２４は、ビアホール４５５を介してベース板４５１の上部面にある第１経路１０、第３経路３０または下部面にある第２経路２０、第４経路４０に移動し、さらに、経路変更部（ＰＣＰ）で第１経路乃至第４経路１０、３０、２０、４０を変更する。経路変更部（ＰＣＰ）における第１信号線６２２及び第２信号線６２４部分の平面形状は十字状であってもよい。
【００７４】
第１及び第２信号線６２２、６２４の位置を、第１区間Ｓ１から第２区間Ｓ２方向に沿ってより詳細に説明する。第１信号線６２２は、第１区間Ｓ１が始まる部分に位置するビアホール４５５を介して、第１経路１０から第２経路２０に移動し、次いで第２経路２０に沿って経路変更部（ＰＣＰ）まで延びて、経路変更部（ＰＣＰ）で第４経路４０側に曲がり、第４経路４０に沿って第１区間Ｓ１の端に位置するビアホール４５５まで延びる。さらに、第１信号線６２２は、第１区間Ｓ１の端であると同時に第２区間Ｓ２の開始の部分に位置するビアホール４５５を介して、第４経路４０から第３経路３０に移動し、次いで第３経路３０に沿って経路変更部（ＰＣＰ）まで延びて、経路変更部（ＰＣＰ）で第１経路１０側に曲がり、第１経路１０に沿って第２区間Ｓ２の端に位置するビアホール４５５まで延びる。
【００７５】
第２信号線６２４は、第１区間Ｓ１が始まる部分に位置するビアホール４５５を介して、第４経路４０から第３経路３０に移動し、次いで第３経路３０に沿って経路変更部（ＰＣＰ）まで延びて、経路変更部（ＰＣＰ）で第１経路１０側に曲がり、第１経路１０に沿って第１区間Ｓ１の端に位置するビアホール４５５まで延びる。さらに、第２信号線６２４は、第１区間Ｓ１の端であると同時に第２区間Ｓ２の開始の部分に位置するビアホール４５５を介して第１経路１０から第２経路２０に移動し、次いで第２経路２０に沿って経路変更部（ＰＣＰ）まで延びて、経路変更部（ＰＣＰ）で第４経路４０側に曲がり、第４経路４０に沿って第２区間Ｓ２の端に位置するビアホール４５５まで延びる。
【００７６】
第１信号線６２２と第２信号線６２４とはほとんどオーバーラップしないが、経路変更部（ＰＣＰ）の交差部分では一部オーバーラップする。交差部分の形状は略十字状であってもよい。
【００７７】
差動信号線６２０の経路変更部（ＰＣＰ）と隣接する差動信号線６２０の経路変更部（ＰＣＰ）とは、その長手方向に沿って互いに異なる位置に配置される。よって、差動信号線６２０のビアホール４５５は、隣接する差動信号線６２０のビアホール４５５と対向しない。なお、差動信号線６２０のビアホール４５５と隣接する差動信号線６２０の経路変更部（ＰＣＰ）とは、差動信号線６２０の長手方向に沿って互いに異なる位置に配置されてもよい。ここで、隣り合う差動信号線６２０の経路変更部（ＰＣＰ）とビアホール４５５とが互い違いに配置されずに一列に配置されれば、経路変更部（ＰＣＰ）及びビアホール４５５がルーフアンテナの機能をしてＥＭＩ特性が悪化する。
【００７８】
さらに、図１０に示されるように、ベース板４５１は、上部層４５１ａ及び下部層４５１ｂを含む二重層構造を有してもよい。この場合、第１経路１０及び第３経路３０は上部層４５１ａに位置し、第２経路２０及び第４経路４０は下部層４５１ｂに位置する。複数のビアホール４５５は上部層４５１ａに形成される。これ以外の構造は図８及び図９に示した構造と略同じである。
【００７９】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００８０】
【図１】本発明の一実施形態による表示装置の斜視図である。
【図２】図１に示す回路基板の部分拡大平面図である。
【図３】図１のＡ部分の拡大図である。
【図４】本発明の他の実施形態による回路基板の分解斜視図である。
【図５】本発明の他の実施形態による回路基板の部分拡大平面図である。
【図６】図５のＢ部分の拡大図である。
【図７】本発明の他の実施形態による回路基板の分解斜視図である。
【図８】本発明の他の実施形態による回路基板の部分拡大平面図である。
【図９】図８のＣ部分の拡大図である。
【図１０】本発明の他の実施形態による回路基板の分解斜視図である。
【符号の説明】
【００８１】
１０、２０、３０、４０  差動信号線の経路
６０  収納容器
８０  光源部
１００  下部基板
２００  上部基板
３００  表示板部
４２０、５２０、６２０  差動信号線
４５０  回路基板
４５１  ベース板
４５５  ビアホール
５１０  フレキシブルプリント回路フィルム
【図１】
2014112718.tif 000003
【図２】
2014112718.tif 000004
【図３】
2014112718.tif 000005
【図４】
2014112718.tif 000006
【図５】
2014112718.tif 000007
【図６】
2014112718.tif 000008
【図７】
2014112718.tif 000009
【図８】
2014112718.tif 000010
【図９】
2014112718.tif 000011
【図１０】
2014112718.tif 000012